(57)【要約】【課題】操作性や見栄えが良いスイッチ装置を提供する。【解決手段】車両用スイッチ装置は、一方の軸端が自動車室内に接続される棒状のスイッチ筐体１４と、スイッチ筐体１４に設置される複数のスイッチ操作部１６と、スイッチ操作部１６のスイッチング操作に応じた操作状態を表示するための操作状態表示部とから構成されている。スイッチ筐体１４は、自動車室内に接続される軸端とは別端に一つのスイッチ操作部１６ａを有するとともに、その胴体側面には、四つのスイッチ操作部１６ｂ，１６ｃ，１６ｄ，１６ｅを有している。スイッチ筐体１４の胴体部分には手の握り形状に対応した窪み部２２が設けられており、フィット感を向上させている。さらに、操作状態表示部は複数のスイッチ操作部１６の設置位置に対応したレイアウトで構成されており、表示部を見るだけで直感的なブラインドタッチの操作ができる。【選択図】図２
2005317303.tif 000002
【特許請求の範囲】
【請求項１】
車両に接続されるスイッチ筐体と、
前記スイッチ筐体に配設される複数のスイッチ操作部と、
を有する車両用スイッチ装置であって、
前記複数のスイッチ操作部は、操作者が前記スイッチ筐体を把持したときの指位置に対応した場所に配設されており、さらに、
前記スイッチ筐体は、操作者が前記複数のスイッチ操作部をスイッチング操作するために前記スイッチ筐体を把持したときの手の握り形状に対応した外郭形状を有していることを特徴とする車両用スイッチ装置。
【請求項２】
一方の軸端が車両に接続される棒状のスイッチ筐体と、
前記スイッチ筐体に設置される複数のスイッチ操作部と、
を有する車両用スイッチ装置であって、
前記複数のスイッチ操作部は、
操作者の親指によってスイッチング操作を受けるために、前記スイッチ筐体の車両に接続される軸端とは別端に設置される親指用スイッチ操作部と、
親指以外の四指によって操作を受けるために、前記スイッチ筐体の胴体側面に少なくとも１つ設置される四指用スイッチ操作部と、
から構成されることを特徴とする車両用スイッチ装置。
【請求項３】
請求項２に記載の車両用スイッチ装置において、
前記スイッチ筐体は、操作者が前記複数のスイッチ操作部をスイッチング操作するために前記スイッチ筐体を把持したときの手の握り形状に対応した外郭形状を有していることを特徴とする車両用スイッチ装置。
【請求項４】
請求項２又は３に記載の車両用スイッチ装置において、
前記スイッチ筐体は、その軸線方向が略垂直方向となるように車両に接続されていることを特徴とする車両用スイッチ装置。
【請求項５】
請求項２又は３に記載の車両用スイッチ装置において、
前記スイッチ筐体は、その軸線方向が略水平方向となるように車両に接続されていることを特徴とする車両用スイッチ装置。
【請求項６】
請求項１〜５のいずれか１項に記載の車両用スイッチ装置において、
前記複数のスイッチ操作部のスイッチング操作に応じた操作状態を表示するための操作状態表示部を有しており、
かかる操作状態表示部は、前記複数のスイッチ操作部の設置位置に対応したレイアウトで構成されていることを特徴とする車両用スイッチ装置。
【請求項７】
請求項１〜６のいずれか１項に記載の車両用スイッチ装置において、
前記スイッチ筐体は、傾動自在又は回動自在に車両に接続されていることを特徴とする車両用スイッチ装置。
【発明の詳細な説明】
【技術分野】
【０００１】
本発明は、車両用スイッチ装置に関し、特に、操作性や見栄えを向上させた車両用スイッチ装置に関するものである。
【背景技術】
【０００２】
例えば、自動車等の車両には空調機器やオーディオ機器等たくさんの操作装置が設置されている。これらの操作装置の操作手段には、インストルメントパネルやセンターコンソール上に設置された操作パネルを用いることが一般的であり、この操作パネル上に配置された操作ボタンや操作ダイヤルを、操作者（主として車両ドライバー）自らが目視確認し、手を伸ばして指で操作することを前提とするものであった。
【０００３】
一方、スイッチ装置の中には、いわゆるスティックタイプの握りレバーに複数のプッシュボタンを設け、プッシュボタンとそれを操作する指との対応をある程度考慮し、操作性を向上させようとするものがいくつか提案されている（例えば、下記特許文献１および２参照）。
【０００４】
しかし、下記特許文献１に記載されている発明の場合、操作するプッシュボタンとこのプッシュボタンの操作状態を表示するための表示部が同じ場所に設けられているので、操作性が悪いとともに見栄えも悪く、高級感に乏しいという欠点があった。
【０００５】
また、下記特許文献２に記載されている発明の場合は、操作手段と表示部が離れており、さらに、指とボタンとの対応がある程度考慮された設計となっているものの、操作内容とプッシュボタンの配置に強い関連性がないために直感的な操作ができず、操作に慣れるまでに時間がかかってしまうという問題があった。
【０００６】
そこで、これらの問題を解決する一つの手段として、例えば、下記特許文献３に記載のような発明が存在している。かかる発明によれば、下記特許文献２に記載されている発明の場合と同様に、表示部から離れた位置にスイッチを設けることができるので、表示部の見栄えを悪化させることもなく、またスイッチの配置と表示部とを関連づけているので、表示部を見るだけで直感的なブラインドタッチの操作が可能となる。
【０００７】
【特許文献１】特開平１１−１６１４２２号公報
【特許文献２】特開２００２−２２９６５７号公報
【特許文献３】特開２０００−２７６９７６号公報
【発明の開示】
【発明が解決しようとする課題】
【０００８】
しかしながら、上記特許文献３に記載の発明は、掌を置く部分があるために大きな設置スペースを必要とするものである。したがって、例えば、車両室内のような比較的狭い空間では設置場所が限られてしまうので、設計上および操作上問題がある。
【０００９】
また、人の手は、指に力を入れなければ自然に軽く握った状態となるので、上記特許文献３に記載の発明のようにマウスタイプの外郭形状を有するスイッチの場合には、誤ってスイッチを押してしまわないように、常にある程度指を広げるように意識しなければならないという問題も存在している。
【００１０】
本発明は、上記のような問題を解決するために成されたものであって、限られたスペースであっても設置可能であり、しかも操作性や見栄えが良いスイッチ装置を提供するものである。
【課題を解決するための手段】
【００１１】
本発明に係る車両用スイッチ装置は、車両に接続されるスイッチ筐体と、前記スイッチ筐体に配設される複数のスイッチ操作部と、を有する装置であって、前記複数のスイッチ操作部は、操作者が前記スイッチ筐体を把持したときの指位置に対応した場所に配設されており、さらに、前記スイッチ筐体は、操作者が前記複数のスイッチ操作部をスイッチング操作するために前記スイッチ筐体を把持したときの手の握り形状に対応した外郭形状を有していることを特徴とする。
【００１２】
本発明に係る別の車両用スイッチ装置は、一方の軸端が車両に接続される棒状のスイッチ筐体と、前記スイッチ筐体に設置される複数のスイッチ操作部と、を有する装置であって、前記複数のスイッチ操作部は、操作者の親指によってスイッチング操作を受けるために、前記スイッチ筐体の車両に接続される軸端とは別端に設置される親指用スイッチ操作部と、親指以外の四指によって操作を受けるために、前記スイッチ筐体の胴体側面に少なくとも１つ設置される四指用スイッチ操作部と、から構成されることを特徴とする。
【００１３】
また、本発明に係る別の車両用スイッチ装置において、前記スイッチ筐体は、操作者が前記複数のスイッチ操作部をスイッチング操作するために前記スイッチ筐体を把持したときの手の握り形状に対応した外郭形状を有していることが好適である。
【００１４】
このような、本発明に係る別の車両用スイッチ装置において、前記スイッチ筐体は、その軸線方向が略垂直方向となるように車両に接続されていることとすることができる。
【００１５】
また一方で、本発明に係る別の車両用スイッチ装置において、前記スイッチ筐体は、その軸線方向が略水平方向となるように車両に接続されていることとすることも可能である。
【００１６】
以上のような本発明に係る車両用スイッチ装置は、前記複数のスイッチ操作部のスイッチング操作に応じた操作状態を表示するための操作状態表示部を有しており、かかる操作状態表示部は、前記複数のスイッチ操作部の設置位置に対応したレイアウトで構成されていることとすることが好適である。
【００１７】
また、本発明に係る車両用スイッチ装置において、前記スイッチ筐体は、傾動自在又は回動自在に車両に接続されていることとすることが可能である。
【００１８】
なお上記発明の概要は、本発明の必要な特徴の全てを列挙したものではなく、これらの特徴群のサブコンビネーションもまた発明となり得る。
【発明の効果】
【００１９】
本発明によれば、限られたスペースであっても設置可能で、しかも操作性や見栄えが良いスイッチ装置を提供することができる。
【発明を実施するための最良の形態】
【００２０】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２１】
［第１の実施形態］
本実施形態に係る車両用スイッチ装置は、例えば、図１において示すような、自動車の運転席隣にあるシフトノブ１０設置位置からセンターコンソールパネル１２にかけての場所に設置することが可能である。なお、本実施形態では、車両用スイッチ装置を構成するスイッチ筐体が、その軸線方向を略水平方向となるように自動車室内に接続されている場合を例示している。以下、本実施形態に係る車両用スイッチ装置について、具体的に説明する。
【００２２】
本実施形態に係る車両用スイッチ装置は、一方の軸端が自動車室内に接続される棒状のスイッチ筐体１４と、このスイッチ筐体１４に設置される複数のスイッチ操作部１６と、複数のスイッチ操作部１６のスイッチング操作に応じた操作状態を表示するための操作状態表示部１８とから構成されている。
【００２３】
操作者のスイッチング操作作用部となるスイッチ筐体１４と複数のスイッチ操作部１６は、図２に示すような構造を有している。図２は、スイッチ筐体１４および複数のスイッチ操作部１６の概略構成を説明するための図であり、図２中（ａ）は上面外観を、図２中（ｂ）は縦断面を、図２中（ｃ）は側面外観を示す図である。
【００２４】
スイッチ筐体１４は、自動車室内に接続される軸端とは別端に一つのスイッチ操作部１６ａを有するとともに、その胴体側面には、四つのスイッチ操作部１６ｂ，１６ｃ，１６ｄ，１６ｅを有している。図２からも明らかな通り、スイッチ筐体１４は、操作者の手２０がスイッチ筐体１４を握りしめたときに、ちょうど親指２０ａの場所に軸端のスイッチ操作部１６ａが位置するように設計されている。また、四つのスイッチ操作部１６ｂ，１６ｃ，１６ｄ，１６ｅは、それぞれが人差し指２０ｂ、中指２０ｃ、薬指２０ｄ、小指２０ｅに対応した位置に設置されている。なお、親指２０ａ以外の四指用スイッチ操作部１６ｂ，１６ｃ，１６ｄ，１６ｅについては、全てのスイッチ操作部を設置する必要はなく、必要に応じてその設置個数を設定すればよい。
【００２５】
さらに、スイッチ筐体１４は、操作者が複数のスイッチ操作部１６をスイッチング操作するためにスイッチ筐体１４を把持したときの、手の握り形状に対応した外郭形状を有している。すなわち、図２（ａ）において示すように、スイッチ筐体１４の胴体部分に手の握り形状に対応した窪み部２２を設けることにより、操作者のスイッチ筐体１４に対するフィット感を向上させることができるのである。
【００２６】
また、自動車室内に接続されるスイッチ筐体１４は、傾動自在又は回動自在に接続されていることとすることが好適である。このような構成とすることによって、操作性を向上させるとともに、操作しないときには運転の邪魔にならず、見栄えも良くできるからである。
【００２７】
このようなスイッチ筐体１４に設置される複数のスイッチ操作部１６については、あらゆるスイッチ構造を採用することが可能である。例えば、親指用のスイッチ操作部１６ａであれば、プッシュタイプやプッシュプルタイプ、シーソータイプ、ダイヤルタイプ、可撓タイプのスイッチ構造だけでなく、ジョイスティックタイプやこれらを組み合わせたタイプのスイッチ構造を採用することが可能である。一方、四指用スイッチ操作部１６ｂ，１６ｃ，１６ｄ，１６ｅは、プッシュタイプやプッシュプルタイプ、シーソータイプ、可撓タイプ等のスイッチ構造を採用することが好適である。
【００２８】
また、複数のスイッチ操作部１６のそれぞれは、操作を受ける指の強さに合わせたものを採用すれば良く、スイッチのストロークやクリック感などは、それぞれに好適なものを採用すればよい。
【００２９】
なお、複数のスイッチ操作部１６は、図示しないオン又はオフ状態ホールド回路と接続し、スイッチの反転保持を行うことによってオンオフの切り替えを行うこととしても良いし、複数のスイッチ操作部１６自身がスイッチの反転保持機構を備える構造としても良い。
【００３０】
続いて、複数のスイッチ操作部１６のスイッチング操作に応じた操作状態を表示するための操作状態表示部１８について説明する。図３および図４は、操作状態表示部１８の構成を例示する図である。かかる操作状態表示部１８は、複数のスイッチ操作部１６の設置位置に対応したレイアウトで構成されていることを特徴としている。このようなレイアウトを採用することによって、スイッチ操作部１６の配置と操作状態表示部１８のレイアウトが強く関連づけられるので、表示部を見るだけで直感的なブラインドタッチの操作が可能となるのである。
【００３１】
なお、以下の説明では、図３および図４に示す操作状態表示部１８に対応する複数のスイッチ操作部１６として、親指用スイッチ操作部１６ａには４方向の傾倒スイッチを、四指用スイッチ操作部１６ｂ，１６ｃ，１６ｄ，１６ｅにはプッシュタイプのスイッチを採用した場合を例示して説明する。
【００３２】
図３で示す操作状態表示部１８はデュアルオートエアコンの表示部を例示するものであり、右端に表示される温度表示部３０とファン強度表示部３１は、４方向の傾倒スイッチが採用された親指用スイッチ操作部１６ａによって操作できるようになっている。これらの操作は、各表示部３０，３１に描かれた矢印に従って行えば良く、温度表示部３０の矢印Ａに従って４方向の傾倒スイッチを上下に移動させると温度のアップ・ダウンが操作できる。一方、ファン強度表示部３１の矢印Ｂに従って４方向の傾倒スイッチを左右に移動させるとファン強度のアップ・ダウンが操作できる。
【００３３】
その他のＡＵＴＯ−ＯＦＦ表示部３２や送風方向選択表示部３３などの操作については、操作状態表示部１８の右側から順番に人差し指スイッチ操作部１６ｂ，中指スイッチ操作部１６ｃ，薬指スイッチ操作部１６ｄ，小指スイッチ操作部１６ｅを用いて操作を行うようにすればよい。
【００３４】
図４において例示する操作状態表示部１８はマニュアルエアコンの表示部を例示するものであり、この場合は温度表示部４０が赤色から青色までの間の色に変化するようになっている。すなわち、温度表示部４０の矢印Ｃに従って４方向の傾倒スイッチを上下に移動させると温度のアップ・ダウンが操作できる。一方、ファン強度表示部４１の矢印Ｄに従って４方向の傾倒スイッチを左右に移動させるとファン強度のアップ・ダウンが操作できる。その他の操作については、図３の場合と同様である。
【００３５】
［第２の実施形態］
上述した第１の実施形態に係る車両用スイッチ装置では、スイッチ筐体が、その軸線方向を略水平方向となるように自動車室内に接続されている場合を例示して説明した。一方、本実施形態では、スイッチ筐体が、その軸線方向を略垂直方向となるように自動車室内に接続されている場合を例示して説明する。
【００３６】
図５には、本実施形態に係る車両用スイッチ装置の設置例が示されており、自動車の運転席隣にあるシフトノブ１０設置位置からセンターコンソールパネル１２にかけての場所に、スイッチ筐体１４がその軸線方向を略垂直方向となるように自動車室内に接続されている様子が示されている。なお、前述した第１の実施形態と同一又は類似の部材については、同一符号を付して説明を省略する。
【００３７】
図６は、本実施形態に係るスイッチ筐体１４と複数のスイッチ操作部１６の概略構成を示す図であり、図６中（ａ）は上面外観を、図６中（ｂ）は縦断面を示す図である。図６において示されるスイッチ筐体１４および複数のスイッチ操作部１６は、図２において説明した第１の実施形態に係るスイッチ筐体１４および複数のスイッチ操作部１６とほぼ同様の形態を有している。
【００３８】
図６に示すスイッチ筐体１４および複数のスイッチ操作部１６における特徴点としては、スイッチ筐体１４の一部分に段差形状６０を設けたことが挙げられる。この段差形状６０は、ちょうど小指用スイッチ操作部１６ｅの直下に位置しており、段差形状６０を用いることによって小指２０ｅの位置決めを行うことができるようになっている。したがって、操作者は四指用スイッチ操作部１６ｂ，１６ｃ，１６ｄ，１６ｅそれぞれに対応して直感的に指を配置することができるので、スイッチ装置の操作性を向上することができるのである。
【００３９】
続いて、図７を用いて、上述した図６に示すスイッチ筐体１４および複数のスイッチ操作部１６の好適な変形例を示す。図７は、本実施形態に係る別のスイッチ筐体１４および複数のスイッチ操作部１６の概略構成を示す図であり、図７中（ａ）は上面外観を、図７中（ｂ）は縦断面を示す図である。
【００４０】
図７に示すスイッチ筐体１４および複数のスイッチ操作部１６における特徴点として、スイッチ筐体１４のスイッチ操作部１６設置位置とは反対側の側面を平面形状７０としたことが挙げられる。このような平面形状７０を採用することによって、操作者がスイッチ筐体１４を握りしめたとき、ちょうど掌の平面部分が平面形状７０に当たり、平面形状７０の端にあるコーナー部７１が掌と指の関節部分に当たるので、操作者は好適なフィット感をえることができるのである。
【００４１】
さらに別の実施形態として、図８に示すように、スイッチ筐体１４の上部に張り出し形状８０を設けることも好適である。図８は、本実施形態に係るさらに別のスイッチ筐体１４および複数のスイッチ操作部１６の概略構成を示す図であり、図８中（ａ）は上面外観を、図８中（ｂ）は縦断面を示す図である。
【００４２】
この張り出し形状８０は、親指２０ａの付け根を支えることによって親指２０ａの位置決めを助け、さらに、親指用スイッチ操作部１６ａの後方側面を覆うことによって高級感の向上にも寄与するものである。
【００４３】
以上のような本実施形態に係るスイッチ筐体１４および複数のスイッチ操作部１６に対応する操作状態表示部１８について、図９、図１０および図１１を用いて説明する。図９、図１０および図１１は、操作状態表示部１８の構成を例示する図である。かかる操作状態表示部１８は、第１の実施形態で示した操作状態表示部１８と同様に、複数のスイッチ操作部１６の設置位置に対応したレイアウトで構成されていることを特徴としている。このようなレイアウトを採用することによって、複数のスイッチ操作部１６の配置と操作状態表示部１８のレイアウトが強く関連づけられるので、表示部を見るだけで直感的なブラインドタッチの操作が可能となるのである。
【００４４】
なお、本実施形態の説明においても、図９、図１０および図１１に示す操作状態表示部１８に対応する複数のスイッチ操作部１６として、親指用スイッチ操作部１６ａには４方向の傾倒スイッチを、四指用スイッチ操作部１６ｂ，１６ｃ，１６ｄ，１６ｅにはプッシュタイプのスイッチを採用した場合を例示して説明する。
【００４５】
図９で示す操作状態表示部１８はデュアルオートエアコンの表示部を例示するものであり、上端側から表示される温度表示部３０とファン強度表示部３１は、４方向の傾倒スイッチが採用された親指用スイッチ操作部１６ａによって操作できるようになっている。これらの操作は、各表示部３０，３１に描かれた矢印に従って行えば良く、温度表示部３０の矢印Ｅに従って４方向の傾倒スイッチを前後に移動させると温度のアップ・ダウンが操作できる。一方、ファン強度表示部３１の矢印Ｆに従って４方向の傾倒スイッチを左右に移動させるとファン強度のアップ・ダウンが操作できる。
【００４６】
その他のＡＵＴＯ−ＯＦＦ表示部３２や送風方向選択表示部３３などの操作については、操作状態表示部１８の上側から順番に人差し指スイッチ操作部１６ｂ，中指スイッチ操作部１６ｃ，薬指スイッチ操作部１６ｄ，小指スイッチ操作部１６ｅを用いて操作を行うようにすればよい。
【００４７】
図１０において例示する操作状態表示部１８はパッセンジャー側に設置されるデュアルオートエアコンの表示部を例示するものであり、かかる表示部に設置される温度表示部３０は、４方向の傾倒スイッチが採用された親指用スイッチ操作部１６ａによって操作できるようになっている。この温度表示部３０についても図９の場合と同様の操作方法によって操作可能となっており、温度表示部３０の矢印Ｇに従って４方向の傾倒スイッチを前後に移動させると温度のアップ・ダウンが操作できるようになっている。
【００４８】
図１１において例示する操作状態表示部１８はマニュアルエアコンの表示部を例示するものであり、この場合は温度表示部４０が赤色から青色までの間の色に変化するようになっている。すなわち、温度表示部４０の矢印Ｈに従って４方向の傾倒スイッチを前後に移動させると温度のアップ・ダウンが操作できる。一方、ファン強度表示部４１の矢印Ｊに従って４方向の傾倒スイッチを左右に移動させるとファン強度のアップ・ダウンが操作できる。その他の操作については、図９および図１０の場合と同様である。
【００４９】
以上、本発明の好適な実施形態について説明したが、本発明の技術的範囲は上記実施形態に記載の範囲には限定されない。すなわち、本実施形態では、エアコン表示を行う場合を例示して説明を行ったが、例えば、カーナビゲーションシステムやオーディオ機器等のディスプレイ操作に本実施形態に係る車両用スイッチ装置を用いることも可能である。また、本実施形態では、エアコン表示という単一の機器を操作する場合を例示して説明したが、切り替え装置を設けておき、複数の機器（例えば、エアコン、オーディオ、カーナビゲーションシステムなど）の操作を行うことも可能である。
【００５０】
さらに、本実施形態では、自動車の運転席隣にあるシフトノブ１０設置位置からセンターコンソールパネル１２にかけての場所に車両用スイッチ装置を設置した場合を例示して説明したが、センターコンソール、センタークラスタのサイド部、ドライバと逆側のステアリング前方、リアコンソール、センターサイドのアームレスト、ドア側インパネ、ドアトリム、ルーフなどの位置に設置することも可能である。
【００５１】
車両用スイッチ装置の具体的な設置例について図面を用いて説明すると、図１２に示すように、座席のセンターサイドに設置されるアームレストをスイッチ筐体１４とし、操作者の手２０の移動量を最小限とする構成を採ることが可能である。
【００５２】
また、図１３Ａおよび図１３Ｂに示すように、スイッチ筐体１４をセンターコンソールに斜めに傾けた状態で取り付けることが可能である。この様にすることによって操作者は自然な状態でスイッチ筐体１４を把持することができるので、操作性の向上を図ることができる。
【００５３】
さらに、これまでスイッチ筐体１４は、手の握りを考慮したスティック形状のものを例示して説明したが、図１４Ａおよび図１４Ｂに示すように、矩形のスイッチ筐体１４を採用することも可能である。図１４Ａから明らかな通り、矩形のスイッチ筐体であっても、センターコンソールに斜めに傾けた状態で取り付けるとともに複数のスイッチ操作部１６の配置を工夫することによって、操作性が良く、見栄えの良い車両用スイッチ装置を実現することができる。
【００５４】
またさらに別の実施形態として、図１５Ａおよび図１５Ｂに示すように、センターコンソールに形成した溝によってスイッチ筐体１４を構成することも可能である。この様な構成であれば、スイッチ筐体１４の上面はセンターコンソールと面一になるので、見栄えの良いすっきりとした外観を有する車両用スイッチ装置を実現することが可能である。
【００５５】
さらにまた、図１６Ａおよび図１６Ｂに示すように、センターコンソールボックスの前面にスイッチ筐体１４を配置することも可能である。この様な構成でも、操作者が自然な状態でスイッチ筐体１４を把持することが可能となるので、操作性の向上を図ることができる。また、センターコンソールボックスの前面にスイッチ筐体１４を配置することによってスイッチ筐体１４や複数のスイッチ操作部１６がまとまりよく収まるので、見栄えの向上にも寄与することができる。
【００５６】
なお、上記実施形態には、多様な変更又は改良を加えることが可能である。例えば、複数のスイッチ操作部１６については、単純なスイッチだけではなく、スイッチ操作部１６に一定の圧力を加えると対応する表示部が点滅（あるいは輝度変化、色変化）し、さらに圧力を加えるとスイッチング動作を行うようにしても良い。その様な変更又は改良を加えた形態も本発明の技術的範囲に含まれ得ることが、特許請求の範囲の記載から明らかである。
【図面の簡単な説明】
【００５７】
【図１】第１の実施形態に係る車両用スイッチ装置の設置例を示す図である。
【図２】第１の実施形態に係るスイッチ筐体および複数のスイッチ操作部の概略構成を説明するための図であり、（ａ）は上面外観を、（ｂ）は縦断面を、（ｃ）は側面外観を示す図である。
【図３】第１の実施形態に係る操作状態表示部の構成を例示する図である。
【図４】第１の実施形態に係る操作状態表示部の構成を例示する図である。
【図５】第２の実施形態に係る車両用スイッチ装置の設置例を示す図である。
【図６】第２の実施形態に係るスイッチ筐体と複数のスイッチ操作部の概略構成を示す図であり、（ａ）は上面外観を、（ｂ）は縦断面を示す図である。
【図７】第２の実施形態に係る別のスイッチ筐体および複数のスイッチ操作部の概略構成を示す図であり、（ａ）は上面外観を、（ｂ）は縦断面を示す図である。
【図８】第２の実施形態に係るさらに別のスイッチ筐体および複数のスイッチ操作部の概略構成を示す図であり、（ａ）は上面外観を、（ｂ）は縦断面を示す図である。
【図９】第２の実施形態に係る操作状態表示部の構成を例示する図である。
【図１０】第２の実施形態に係る操作状態表示部の構成を例示する図である。
【図１１】第２の実施形態に係る操作状態表示部の構成を例示する図である。
【図１２】本発明に係る車両用スイッチ装置の多様な適用事例を説明するための図である。
【図１３Ａ】本発明に係る車両用スイッチ装置の多様な適用事例を説明するための図である。
【図１３Ｂ】本発明に係る車両用スイッチ装置の多様な適用事例を説明するための図である。
【図１４Ａ】本発明に係る車両用スイッチ装置の多様な適用事例を説明するための図である。
【図１４Ｂ】本発明に係る車両用スイッチ装置の多様な適用事例を説明するための図である。
【図１５Ａ】本発明に係る車両用スイッチ装置の多様な適用事例を説明するための図である。
【図１５Ｂ】本発明に係る車両用スイッチ装置の多様な適用事例を説明するための図である。
【図１６Ａ】本発明に係る車両用スイッチ装置の多様な適用事例を説明するための図である。
【図１６Ｂ】本発明に係る車両用スイッチ装置の多様な適用事例を説明するための図である。
【符号の説明】
【００５８】
１０  シフトノブ、１２  センターコンソールパネル、１４  スイッチ筐体、１６  複数のスイッチ操作部、１６ａ  親指用スイッチ操作部、１６ｂ，１６ｃ，１６ｄ，１６ｅ  四指用スイッチ操作部、１８  操作状態表示部、２０  手、２０ａ  親指、２０ｂ  人差し指、２０ｃ  中指、２０ｄ  薬指、２０ｅ  小指、２２  窪み部、３０，４０  温度表示部、３１，４１  ファン強度表示部、３２  ＡＵＴＯ−ＯＦＦ表示部、３３  送風方向選択表示部、６０  段差形状、７０  平面形状、７１  コーナー部、８０  張り出し形状。
【図１】
2005317303.tif 000003
【図２】
2005317303.tif 000004
【図３】
2005317303.tif 000005
【図４】
2005317303.tif 000006
【図５】
2005317303.tif 000007
【図６】
2005317303.tif 000008
【図７】
2005317303.tif 000009
【図８】
2005317303.tif 000010
【図９】
2005317303.tif 000011
【図１０】
2005317303.tif 000012
【図１１】
2005317303.tif 000013
【図１２】
2005317303.tif 000014
【図１３Ａ】
2005317303.tif 000015
【図１３Ｂ】
2005317303.tif 000016
【図１４Ａ】
2005317303.tif 000017
【図１４Ｂ】
2005317303.tif 000018
【図１５Ａ】
2005317303.tif 000019
【図１５Ｂ】
2005317303.tif 000020
【図１６Ａ】
2005317303.tif 000021
【図１６Ｂ】
2005317303.tif 000022